(57)【要約】      （修正有）【課題】入歯などの清掃を、早く簡単に確実に行うための清掃器具を提供する。【解決手段】筒状体からなる先端部２と該先端部の後部に連設された握り部３からなる入歯用清掃器具１であって、筒状体先端部の端縁２ａの略中央部に突起物大Ｔ１が、清掃器具の軸の先端方向Ｆに向けて設けられており、該突起物大の周囲を取り囲むようにして突起物小Ｔ２が軸の先端方向Ｆに向けて設けられており、前記先端部の側縁２ｂにも突起物小Ｔ２を前記軸の先端方向と略直交する方向に向けて備えた清掃器具である。【選択図】図１
0003193141.tif 000002
【実用新案登録請求の範囲】
【請求項１】
筒状体からなる先端部（２）と該先端部（２）の後部に連設された握り部（３）からなる清掃器具（１）であって、筒状体からなる先端部（２）の端縁（２a）の略中央部に突起物大（Ｔ１）が清掃器具（１）の軸の先端方向（Ｆ）に向けて設けられており、該突起物大（Ｔ１）の周囲を取り囲むようにして突起物小（Ｔ２）が軸の先端方向（Ｆ）に向けて設けられており、前記先端部（２）の側縁（２ｂ）にも突起物小（Ｔ２）を前記軸の先端方向（Ｆ）と略直交する方向に向けて備えたことを特徴とする清掃器具。
【請求項２】
前記先端部（２）の側縁（２ｂ）に設けられた突起物小（Ｔ２）が側縁（２ｂ）の上面（４）にのみ設けられており、下面（５）が平滑面（Ｍ）であることを特徴とする請求項１に記載の清掃器具。
【請求項３】
前記平滑面（Ｍ）が微細凹凸からなる平滑面（Ｍ）であることを特徴とする請求項１又は２に記載の清掃器具。
【請求項４】
前記突起物大（Ｔ１）および突起物小（Ｔ２）が弾性体からなることを特徴とする請求項1〜３のいずれかに記載の清掃器具。
【請求項５】
前記筒状体からなる先端部（２）が円筒体からなる先端部（２）であることを特徴とする請求項１〜４のいずれかに記載の清掃器具。
【請求項６】
前記清掃器具（１）が入歯（９）用の清掃器具であることを特徴とする請求項１〜５のいずれかに記載の清掃器具。
【考案の詳細な説明】
【技術分野】
【０００１】
本考案は、清掃器具に関する。詳しくは、清掃する際に薬剤やブラッシで汚れを落とすのでは無く弾性体で擦り落とすようにしたものである。
【背景技術】
【０００２】
たとえば入歯やその他の小物又は、狭くて掃除しにくい場所を清掃する方法は、薬剤を使用し時間を掛けて汚れを浮かし取るか、ブラッシ付の器具で擦り取る方法が一般的である。
【先行技術文献】
【特許文献】
【０００３】
【特許文献１】特開２０１０−２５５１５５号公報
【考案の概要】
【考案が解決しようとする課題】
【０００４】
薬剤による清掃は、浸す時間やその後ブラッシによる再清掃が必要であった、また、ブラッシ付歯ブラシによる清掃は、力を入れずらく汚れを落とすには、時間が掛かり過ぎ、清掃がおざなりに成ってしまう傾向にあった。更に  従来のものは汚れ取りの効果がよくなかった。
【課題を解決するための手段】
【０００５】
第１の考案は、筒状体からなる先端部（２）と該先端部（２）の後部に連設された握り部（３）からなる清掃器具（１）であって、筒状体からなる先端部（２）の端縁(２a)の略中央部に突起物大（Ｔ１）が清掃器具（１）の軸の先端方向（Ｆ）に向けて設けられており、該突起物大（Ｔ１）の周囲を取り囲むようにして突起物小（Ｔ２）が軸の先端方向（Ｆ）に向けて設けられており、前記先端部（２）の側縁（２ｂ）にも突起物小（Ｔ２）を前記軸の先端方向（Ｆ）と略直交する方向に向けて備えたことを特徴とする。
係る構成によれば、薬剤、ブラッシよりは、清掃時間も短縮できる。自分の目と耳と手の感触で、汚れの落ち具合を確認出来る。たとえば、入歯（９）の清掃の場合、平滑面（Ｍ）や突起物大（Ｔ１）では歯茎と入歯（９）の土台となる部分（６）又は入歯（９）の留め具（８）と義歯（７）の比較的なだらかなところを擦り、突起物小（Ｔ２）では、たとえば入歯（９）などは、義歯（７）と義歯（７）の狭い間を擦るようにすることで清掃作業性が向上する。また、清掃器具を製造する際、単純な構造のため、安価に製造できるという効果がある。
第２の考案は、第1の考案において、先端部（２）の側縁（２ｂ）に設けられた突起物小（Ｔ２）が側縁（２ｂ）の上面（４）にのみ設けられており、下面（５）が平滑面（Ｍ）であることを特徴とする。
係る構成によれば、たとえば、入歯（９）の清掃の場合、平滑面（Ｍ）では、入歯（９）の土台となる部分（６）と歯茎が接触するなだらかな広い部分をストレスなく十分に手早く汚れを落とすことができるという効果がある。
第３の考案は、第1又は第２の考案において、平滑面（Ｍ）が微細凹凸からなる極めてなだらかな平滑面（Ｍ）であることを特徴とする。
係る構成によれば、たとえば、入歯（９）の清掃の場合、平滑面（Ｍ）が微細凹凸からなる極めてなだらかな平滑面（Ｍ）であるため、擦った時の摩擦度は増加し汚れを落としやすいという効果がある。
第４の考案は、第1〜第３のいずれかに記載の考案において、突起物大（Ｔ１）および突起物小（Ｔ２）が弾性体からなることを特徴とする。
係る構成によれば、たとえば、入歯（９）の清掃の場合、突起物大（Ｔ1）、突起物小（Ｔ２）が弾性体のため、たとえば、入歯（９）の清掃の場合、入歯（９）等に密着するので汚れが落としやすいという効果がある。
第５の考案は、第１〜第４のいずれかに記載の考案において、筒状体からなる先端部（２）が円筒体からなる先端部（２）であることを特徴とする。
係る構成によれば、清掃器具を軸方向に向けて手で回しやすく力も入れやすい、また、先端が円筒状のため狭い隙間にも入り込こませ回転させることができるので、より密着させた清掃ができるという効果がある。清掃する際、清掃器具を軸方向とその直交方向に摺動させたり、軸を中心として回転させたり、また、それらを複合させたりして清掃できるので、清掃効率と清掃効果が大きくなるという効果がある。
第６の考案は、第１〜第５のいずれかに記載の考案において、清掃器具（１）が入歯（９）用の清掃器具であることを特徴とする。
係る構成によれば、入歯（９）の清掃にとって汚れを落としやすく作業性も容易である。また、清掃器具を製造する際、単純な構造のため、安価に製造できるという効果がある。
【考案の効果】
【０００６】
第１の考案によれば、薬剤、ブラッシよりは、清掃時間も短縮できる。自分の目と耳と手の感触で、汚れの落ち具合を確認出来る。たとえば、入歯（９）の清掃の場合、平滑面（Ｍ）や突起物大（Ｔ１）では歯茎と入歯（９）の土台となる部分（６）又は入歯（９）の留め具（８）と義歯（７）の比較的なだらかなところを擦り、突起物小（Ｔ２）では、たとえば入歯（９）などは、義歯（７）と義歯（７）の狭い間を擦るようにすることで清掃作業性が向上するという効果がある。
第２の考案によれば、たとえば、入歯（９）の清掃の場合、平滑面（Ｍ）では、入歯（９）の土台となる部分（６）と歯茎が接触するなだらかな広い部分をストレスなく十分に手早く汚れを落とすことができるという効果がある。
第３の考案によれば、たとえば、入歯（９）の清掃の場合、平滑面（Ｍ）が微細凹凸からなる極めてなだらかな平滑面（Ｍ）であるため擦った時の摩擦度は増加し汚れを落としやすいという効果がある。
第４の考案によれば、たとえば、入歯（９）の清掃の場合、突起物大（Ｔ1）、突起物（Ｔ２）が弾性体のため、たとえば、入歯（９）の清掃の場合、入歯（９）等に密着するので汚れが落としやすいという効果がある。
第５の考案によれば、清掃器具を軸方向に向けて手で回しやすく力も入れやすい、また、先端が円筒状のため狭い隙間にも入り込こませ回転させることができるので、より密着させた清掃ができるという効果がある。清掃する際、清掃器具を軸方向とその直交方向に摺動させたり、軸を中心として回転させたり、また、それらを複合させたりして清掃できるので、清掃効率と清掃効果が大きくなるという効果がある。
第６の考案によれば、入歯（９）の清掃にとって汚れを落としやすく作業性も容易である。また、清掃器具を製造する際、単純な構造のため、安価に製造できるという効果がある。
上記効果をまとめると、薬剤、ブラッシよりは、清掃時間も短縮できる。自分の目と耳と手の感触で、汚れの落ち具合を確認出来る。微細凹凸からなる極めてなだらかな平滑面（Ｍ）や突起物大（Ｔ１）では歯茎と入歯（９）の土台となる部分（６）又は入歯（９）の留め具（８）と義歯（７）の比較的なだらかなところを擦り、突起物小（Ｔ２）では、たとえば入歯（９）などは、義歯（７）と義歯（７）の狭い間を擦るようにすることで清掃作業性が向上する。
さらに、前記平滑面（Ｍ）では、入歯（９）の土台となる部分（６）と歯茎が接触するなだらかな広い部分をストレスなく十分に手早く汚れを落とすことができる。
【図面の簡単な説明】
【０００７】
【図１】図１は、本考案の清掃器具の斜視図である
【図２】図２は、本考案の清掃器具の正面図である
【図３】図３は、本考案の清掃器具の平面図である
【図４】図４は、本考案の清掃器具の底面図である
【図５】図５は、本考案の清掃器具の右側面図である
【図６】図６は、本考案の清掃器具の左側面図である
【図７】図７は、本考案の清掃器具の背面図である
【図８】図８は、本考案の清掃器具の側断面図である
【図９】図９は、本考案の清掃器具（１）の突起物大（Ｔ１）、突起物小（Ｔ２）の説明図である。(ａ)は、突起物大の斜視図である。(ｂ)は、突起物大の縦断面図である。(ｃ)は、突起物小の斜視図である。(ｄ)は、突起物小の縦断面図である。
【図１０】図１０は、入歯の見本図である
【考案を実施するための形態】
【０００８】
本考案の清掃器（１）具について図１〜図１０に従って主として入歯（９）を対象として詳しく述べる。
入歯（９）を薬剤によって清掃する場合は、浸す時間やその後ブラッシによる再清掃が必要であり、また、ブラッシ付歯ブラシによる清掃は、力を入れずらく汚れを落とすには、時間が掛かり過ぎ、清掃がおざなりに成ってしまう傾向にあった、弾性体を素材にした筒状の物に、突起物大（Ｔ１）、突起物小（Ｔ２）を構成することにより、入歯（９）を擦るような作業で、入歯（９）に付着した汚れを清掃できるようにした、入歯用清掃器具（１）である。
前記、平滑面（Ｍ）とは、本考案の先端部（２）における突起物大（Ｔ１）、突起物小（Ｔ２）の設けられていないなだらかな部分である。なお、本考案の清掃器具（１）は、入歯（９）に好適であるが入歯（９）以外の清掃にとっても好適である。
【０００９】
本考案の清掃器具（１）は、筒状体の先端部（２）と該先端部（２）の後部に連設された握り部（３）からなる清掃器具（１）であって、筒状体からなる先端部（２）の端縁（２a）の中央部に突起物大（Ｔ１）が設けられており、該突起物大（Ｔ１）の周囲を取り囲むようにして突起物小（Ｔ２）が設けられており、前記先端部（２）の側縁（２b）にも突起物小（Ｔ２）を備えた清掃器具（１）である。もちろん入歯（９）以外の清掃に対しても好適である。
【００１０】
また、弾性体を素材にした筒状の物に突起物大（Ｔ１）、突起物小（Ｔ２）を構成することによりたとえば、入歯（９）を擦る様な作業で入歯に付着した汚れを清掃できるようにした入歯用清掃器具（１）である。
前記側縁（２ｂ）に設けられた突起物小（Ｔ２）が側縁（２ｂ）の上面（４）にのみ設けられており、下面（５）が平滑面（Ｍ）である。たとえば、入歯（９）用の清掃器具としても好適な器具である。
本考案は、それらの手間、時間を短縮し確実にきれいに清掃できるようにしたものである。以下、本考案の清掃器具（１）について清掃する対象物を入歯（９）として詳しく説明する。
【００１１】
また、入歯（９）の滑らかな部分は、本考案の平滑面（Ｍ）で擦り、歯の部分や窪み等のデコボコ部分は、突起物大（Ｔ１）、突起物小（Ｔ２）を活用することで、スムーズに清掃できる。また、入歯（９）の主成分であるプラスチックは、弾性体と擦りあっても痛むことは無く、すり減ることも無い、さらに面同志は、確実に密着し汚れを擦り落とすことが出来る。従って、本考案の清掃器具は擦れ具合に優れたものとなる。ここでいう擦れ具合に優れたものとは、汚れの残っているヌルヌル感が、素早く無くなる、また、擦っている時の音もグ、グからキュウ、キュウに素早く変わるという現象をいう。
【００１２】
また、前記平滑面（Ｍ）について詳しく述べる、本考案の平滑面（Ｍ）は微細凹凸からなる平滑面である、前記微細凹凸とは図示しないが、なだらかな極めて微細の凹凸を有するものである。前記凹凸の山の高さと谷の深さは約０．０１ｍｍ〜約０．０５ｍｍ程度が好適である。
【００１３】
また、薬剤による清掃は、浸す時間やその後ブラシによる再清掃が必要であり、また、ブラシ付歯ブラシによる清掃は、力を入れずらく汚れを落とすには、時間が掛かり過ぎ、清掃がおざなりに成ってしまう傾向にあった、弾性体を素材にした筒状の物に、突起物大（Ｔ１）、突起物小（Ｔ２）を構成することにより、入歯（９）を擦るような作業で、入歯（９）に付着した汚れを清掃できるようにした、入歯用清掃器具（１）である。
本考案の先端部（２）は、円柱だけではなく四角、六角等の形状にしてもよい。
【００１４】
また、先端部（２）は、弾力のある弾性体で作成することにより、入歯（９）への密着度を高め汚れを擦り落とすことが出来る。弾性体は、ゴムやシリコン等が、適している。  
入歯（９）には、デコボコした義歯（７）の部分や、入歯（９）の土台となる部分（６）のなだらか部分がある、それらの部分をくまなく清掃するには、本案のように、平坦面（Ｍ）と突起した部分すなわち、突起物大（Ｔ１）、突起物小（Ｔ２）、の組み合わせによる構造が不可欠である。
【００１５】
また、突起物大（Ｔ１）とは、円錐形が最も好適であるが、円筒状、その他の柱状態であっても良いものとする。その大きさは、円錐形状上の場合、縦断面の大きさとして高さ（Ｈ１）は、約３〜６ｍｍが好適である。幅Ｗ１は、２〜３ｍｍが好適である。
【００１６】
また、突起物小（Ｔ２）とは、円錐形が最も好適であるが、円筒状、その他の柱状態であっても良いものとする。その大きさは、円錐形状の場合、縦断面の大きさとして高さ（Ｈ２）は、約１〜２ｍｍが好適である。幅Ｗ２は、０．７〜１．０ｍｍが好適である。
【００１７】
また、清掃用液体や練り粉を使用せず、汚れは、弾性体で擦り落とすため時間も費用も掛からず、清掃状態は、指、目、音で確認できるので、安心快適であり、時間も短い時間で出来るので、ストレスにならない。
【００１８】
また、入歯用清掃器具（１）の先端部（２）の軸方向の先端方向は非開放で他端は開放し、差し込み穴（Ｓ）が設けられている。先端部(２)を弾性体で作成し、前記差し込み穴（Ｓ）の中に握り部（３）となる棒状の物を差し込むだけなので、構造的にも技術的にも容易で安価に作製することが出来る。ただし、握り部（３）の取り付けは、差し込み方式に限定されるものではない。接着手段、機械的取り付け手段でも良い。前記握り部（３）の形状は、図示したような棒状でも良いが、握りやすく工夫された球状体でも良い、また、それ以外の物でも良いものとする。
平滑面（Ｍ）とは、突起物大（Ｔ１）、突起物小（Ｔ２）の付いていない曲面部である。
【００１９】
また、入歯（９）を、片手に持ち、別の手で本考案の入歯用清掃器具（１）を持ち、入歯（９）全体を擦り合わせる。なだらかな部分は、本考案の平らな部分すなわち平滑面（Ｍ）で擦り、入歯（９）の義歯（７）部分でデコボコの部分は、突起物大（Ｔ１）、突起物小（Ｔ２）を使用することでストレスなく、入歯を清掃することが出来る。清掃時は、流水で行うのが最も適している。
【００２０】
また、突起物大（Ｔ１）では入歯（９）の土台となる部分（６）又は入歯（９）の留め具（８）と義歯（７）の比較的なだらかなところを擦り、歯茎と接する入歯（９）の比較的なだらかな部分を清掃する。突起物小（Ｔ２）では、入歯（９）の義歯（７）と義歯（７）の狭い部分を清掃する、平滑面（Ｍ）では、入歯（９）全体を擦るように清掃する。清掃が進み汚れが落ちてくると、入歯（９）と本考案の入歯用清掃器具（１）の擦れ具合で、入歯（９）清掃時の音が、グ、グ、からキュウ、キュウに変わってくるので、清掃程度や汚れの落ちていない部分の場所の確認が出来る。
【００２１】
また、前記音が、グ、グの時は、汚れが残っている場合であり、前記音がキュウ、キュウの場合は、汚れが落ちてキレイになった状態である。
清掃中に、入歯（９）を指で擦ると汚れの落ちたところは、ヌルヌル感が無くなってくるので、この作業でも汚れの落ち具合が、確認できる。
本案は、入歯（９）を手に取り、見ながら清掃をするので、何処を清掃していないかが判り確実に清掃することが出来る。
【００２２】
また、先端部（２）の太さは、直径約１２〜２０ｍｍが好適であり、握り部（３）の太さについては、長径が約１０〜１６ｍｍが好適である。長さについては、２００ｍｍ〜２６０ｍｍ程度が、持ちやすく適している。しかしながらこれらの寸法に限定されるものではない。また、差し込み穴（Ｓ）の深さは約１０〜５０ｍｍ程度が好適である。また、先端部（２）から突出した握り部（３）の有効長さは、約１５０〜２５０ｍｍとなり清掃作業性にとって好適である。
【００２３】
また、突起物大（Ｔ1）や突起物小（Ｔ２）の先端が円錐の尖った形が最も好適ではあるが、若干丸みのある先端にしても良好である。
【００２４】
次に、実施例と比較例等について試験を実施し表１に示す。
【００２５】
【表１】
0003193141.tif 000003
【００２６】
実施例1について述べる。円柱状の先端部（２）は、太さを１６ｍｍとし、長さを５０ｍｍとした。硬度６０度（ＪＩＳ、Ｋ、６２５３によるゴム硬度）のシリコンパイプを用いた。先端部（２）の差し込み穴（Ｓ）の深さを４０ｍｍにした。握り棒（３）の太さを先端部（２）よりやや細めの直径１２ｍｍにした。長さは１５０mmから２５０mm程度が、持ちやすいため長さ２４０ｍｍの握り部（３）を長さ５０ｍｍの先端部（２）にある深さ４０ｍｍの差し込み穴（Ｓ）に差し込んで握り部（３）の長さ２００ｍｍにて作製した。平滑面（Ｍ）に設けられる微細凹凸の山と谷の高低差は０．０２ｍｍにて作製した。
【００２７】
実施例２は、円柱状の先端部（２）に硬度６０度のブチルゴム製パイプを用いた。その他は実施例１と同様にした。
【００２８】
実施例３は、円柱状の先端部（２）に硬度５０度のシリコン製パイプを用いた。その他は実施例１と同様にした。
【００２９】
実施例４は、円柱状の先端部（２）に硬度４０度のシリコン製パイプを用いた。その他は実施例１と同様にした。
【００３０】
比較例1は、円柱状の先端部（２）に硬度３０度のウレタン樹脂発泡体製パイプを用いた。その他は実施例１と同様にした。
【００３１】
比較例２は、円柱状の先端部（２）に硬度７０度のシリコン製パイプを用いた。その他は実施例１と同様にした。
【００３２】
次に試験方法について述べる。入歯を片手に持ち別の手で本考案の清掃器具を持ち、入歯と清掃器具を密着させながら約１００ｍｍぐらいを目安にし往復する。同位置の往復回数を２０回程度とし力の掛け方はできるだけ均等になるように自分の手で行った。また、汚れの落ち具合の判定は、感能試験で行い目視による判定、指で触ってヌルヌル感が残っているかの判定、擦った時の音が汚れの残っているグ、グから汚れが落ちたキュウ、キュウに変わったことによる判定で行った。
【００３３】
評価の説明は、下記の通りである。
◎  極めて良好（目視による外視上の汚れはなく、指での感覚にヌルヌル感は全くなく、音もキュウ、キュウとなる）
○  良好（目視による外視上の汚れは目立たず、指での感覚にヌルヌル感はなく、音もキュウ、キュウとなる）
△  やや不良（目視による外視上の汚れは若干あり、指での感覚にヌルヌル感が少しあり、音は少しグとなる）
×  不良（目視での外視上の汚れが目立ち、指での確認でもヌルヌル感は大きく、音もグ、グとなる）
【００３４】
次に実験結果の考察について、詳しく述べる。
本考案の作成に当たり、硬度、材質の違う弾性体を試験した結果、５０から６０ぐらいの硬さがある筒状の物に突起物を付けたものが一番使いやすく効果が高かった。
先端部（２）の大きさについては、直径１２ｍｍ前後の筒状が一番使いやすく、直径５ｍｍや直径２０ｍｍにすると入歯（９）との相性が悪かった、さらに、四角や三角では、入歯（９）との接する面が少なく清掃に時間がかかってしまった。
【００３５】
突起物大（Ｔ１）、突起物小（Ｔ２）を付けることで、平滑面（Ｍ）では届かない部分を清掃できたのでよりきれいに清掃できた。
入歯（９）を擦るときに、スポンジ状の柔らかい材質では擦りずらいく汚れも落ずらい  又  硬い材質では入歯（９）に傷がついてしまうので適当ではないと確認できた。
【００３６】
実施例１について、適度な密着性があるので擦れ具合も極めて良好であり汚れの落ち具合も極めて良好であった、又作業性や耐久性も極めて良いため清掃時間がかからずストレスなく入歯（９）の清掃ができた。
【００３７】
実施例２については、適度な密着性があるので擦れ具合も極めて良好であり汚れの落ち具合も極めて良好であった、耐久性についても極めて良好であるが、しかし、材質がゴムのためゴミが出やすい状況ではあるが作業性は良好であり清掃時間はそれ程かからなかった。
【００３８】
実施例３については、擦れ具合、耐久性は、極めて良好であったが汚れの落ち具合いは、ほぼ良好であった。又作業性、清掃時間もほぼ良好であった。
【００３９】
実施例４については、擦れ具合は極めて良好であったが汚れの落ち具合いは、ほぼ良好であった。又作業性、耐久性、清掃時間もほぼ良好であった。
【００４０】
比較例1については、柔らかすぎて耐久性はやや不良であり、擦れ具合、汚れの落ち具合もやや不良であり作業性も不良であり清掃時間も長く掛りやや不良となった。
【００４１】
比較例２については、硬すぎて擦れ具合は不良となり落ち具合もやや不良であった、作業性についても硬いため段差、隙間をうまく擦れず不良となり清掃時間も掛りやや不良となる。しかし、耐久性については、良好であった。
【産業上の利用可能性】
【００４２】
本考案は、弾性体を使用して入歯（９）を、確実に早く磨くことが出来るようにしたため  今までの煩わしさが無くなり  汚れが落ちたかの確認がしやすくなった、また、作製においては、弾性体に突起物を付けた先端部（２）に該先端部（２）の後部に連設された握り部（３）からなるという単純な構造のため、安価に作成することが出来る。したがって産業上の利用可能性は大である。
【符号の説明】
【００４３】
１  本考案の清掃器具
２  先端部
２a 先端部の端縁
２b 先端部の側縁
２c 先端部の後部
３  握り部
Ｍ  平滑面
Ｔ１突起物大
Ｔ２突起物小
Ｓ  差し込み穴
４  先端部の上面
５  先端部の下面
Ｈ1 突起物大の高さ
Ｗ1 突起物大の幅
Ｈ２突起物小の高さ
Ｗ２突起物小の幅
Ｆ  軸の先端方向
６  入歯の土台となる部分
７  義歯
８  入歯の留め具
９  入歯
【図１】
0003193141.tif 000004
【図２】
0003193141.tif 000005
【図３】
0003193141.tif 000006
【図４】
0003193141.tif 000007
【図５】
0003193141.tif 000008
【図６】
0003193141.tif 000009
【図７】
0003193141.tif 000010
【図８】
0003193141.tif 000011
【図９】
0003193141.tif 000012
【図１０】
0003193141.tif 000013